(57)【要約】【課題】「逆掛け」の状態でも作業台としての機能を発揮させることができるリュックサックを提供する。【解決手段】リュックサック１０は、荷物を収容する荷室Ｓ１，Ｓ２を有する収容部１２と、収容部１２の背面側に位置するように収容部１２と一体的に設けられた左右一対の肩ベルト１４ａ，１４ｂと、収容部１２の正面に設けられた正面開口部１６と、正面開口部１６を開閉可能に封鎖する封鎖部１８と、荷室Ｓ２に配置された基部８０と、基部８０に対して回動自在に取り付けられ、荷室Ｓ２に収容された「収容状態」と正面開口部１６から荷室Ｓ２の外部に突出された「突出状態」とを切替可能に構成され、「突出状態」において支持対象物Ｑを支持する回動支持部８２とを備える。【選択図】図１
2011036401.tif 000002
【特許請求の範囲】
【請求項１】
荷物を収容する荷室を有する収容部と、
前記収容部の背面側に位置するように前記収容部と一体的に設けられた左右一対の肩ベルトと、
前記収容部の正面に設けられた正面開口部と、
前記正面開口部を開閉可能に封鎖する封鎖部と、
前記荷室に配置された基部と、
前記基部に対して回動自在に取り付けられ、前記荷室に収容された収容状態と前記正面開口部から前記荷室の外部に突出された突出状態とを切替可能に構成され、前記突出状態において支持対象物を支持する回動支持部とを備える、リュックサック。
【請求項２】
前記突出状態にある前記回動支持部に載置される板状部材と、
前記板状部材の左右方向中央部に位置する固定部に一端が固定され、前記基部の左側部に他端が固定された第１紐と、
前記固定部に一端が固定され、前記基部の右側部に他端が固定された第２紐とを備え、
前記板状部材が前記突出状態にある前記回動支持部の正規位置に載置されたとき、前記第１紐および前記第２紐が弛み無く張られる、請求項１に記載のリュックサック。
【請求項３】
前記収容部の上部に設けられ、使用者の首に掛けられる環状の首ベルトを備える、請求項１または２に記載のリュックサック。
【発明の詳細な説明】
【技術分野】
【０００１】
本発明は、図面、チェックリストまたはスケッチブック等のような支持対象物を支持する機能を有する、リュックサックに関する。
【背景技術】
【０００２】
建設会社のスタッフが、「工事の進捗状況の調査」、「不具合箇所の調査」または「補修や改造の検討」等のために建設現場に出向いた際には、現場で得た情報を記録するために、図面やチェックリスト等に必要事項を書き込むことが多々ある。その場合、従来では、（ａ）図面、チェックリストおよびクリップ付ボードをカバンに収容して、これらを建設現場に搬入し、（ｂ）カバンを適当な場所に置いて、図面、チェックリストおよびクリップ付ボードを取り出し、（ｃ）取り出したクリップ付ボードの上に図面やチェックリストを載置し、（ｄ）建設現場を移動しながら図面やチェックリストに必要事項を書き込む、といった手順を取るようにしていた。また、カバンは、建設現場の周辺に置いておくのが通常であることから、作業中に他の資料等が必要になったときには、（ｅ）カバンの置き場所まで一旦戻って、カバンから当該資料等を取り出すようにしていた。そのため、従来では、カバンから物（図面、チェックリスト、資料等）を出し入れする時間が長くなり、作業効率が悪いという問題があった。一方、リュックサックを背負って作業を行う場合には、必要な資料等を取りに戻る手間を省くことができるが、資料等を取り出すときには、背負ったリュックサックを一旦降ろさなければならないため、作業効率を十分に改善することができなかった。
【０００３】
このような問題を解決するためには、作業中でも必要な資料等をカバン（リュックサック等）から速やかに取り出せるようにしておく必要があり、特許文献１には、かかる必要性を或る程度満たすことのできる「スケッチ用バッグ」が開示されている。この「スケッチ用バッグ」は、バッグの骨格を成すフレームと、フレームに対して着脱自在に取り付けられるスケッチ板とを備えており、フレームにスケッチ板を取り付けることによって、スケッチブック等を載せるための作業台を構成するものである。
【先行技術文献】
【特許文献】
【０００４】
【特許文献１】特開２００８−２１２６０２号公報
【発明の概要】
【発明が解決しようとする課題】
【０００５】
特許文献１の「スケッチ用バッグ」によれば、フレームとスケッチ板とによって作業台を構成することができ、この作業台にスケッチブック等を載せて絵を描いたりすることができるので、作業中には、常に作業者の手の届くところにバックが位置しており、必要な資料をバッグ内から速やかに取り出すことができる。しかし、この「スケッチ用バッグ」は、地面等に置いて使用することを前提に設計されており、肩ベルトを「逆掛け」にしてバッグを体の前に装着し、現場を転々と移動しながら使用する用途には適さなかった。
【０００６】
つまり、特許文献１の「スケッチ用バッグ」では、スケッチ板のフック部材をフレームの水平部に嵌合して作業台を組立てる必要があるが、当該組立作業を「逆掛け」の状態で行うことは極めて困難であり、作業性が悪いという問題があった。また、「逆掛け」の状態では、バッグの上端開口部に取り付けられた蓋が作業台の上面に被さるため、当該蓋が邪魔になって使用感が損なわれるという問題もあった。
【０００７】
本発明は、上記課題を解決するためになされたものであり、「逆掛け」の状態で作業台として使用する場合の作業性および使用感を高めることができる、リュックサックを提供することを目的とする。
【課題を解決するための手段】
【０００８】
前記課題を解決するために、本発明に係るリュックサックは、荷物を収容する荷室を有する収容部と、前記収容部の背面側に位置するように前記収容部と一体的に設けられた左右一対の肩ベルトと、前記収容部の正面に設けられた正面開口部と、前記正面開口部を開閉可能に封鎖する封鎖部と、前記荷室に配置された基部と、前記基部に対して回動自在に取り付けられ、前記荷室に収容された収容状態と前記正面開口部から前記荷室の外部に突出された突出状態とを切替可能に構成され、前記突出状態において支持対象物を支持する回動支持部とを備える。
【０００９】
この構成において、回動支持部を「収容状態」から「突出状態」に移行させる際には、正面開口部を開くとともに、回動支持部を正面開口部から荷室の外部に突出するように回動させるだけの簡単な操作のため、肩ベルトを「逆掛け」にすることによってリュックサックを体の前に装着した状態でも、問題なく移行の操作を行うことができる。そして、「突出状態」では、回動支持部が支持対象物を支持する作業台として機能するので、たとえば、回動支持部に「支持対象物」としてのクリップ付ボードを載せた後、当該クリップ付ボードの上に図面やチェックリストを載せて必要事項を書き込むことができる。また、回動支持部が板状であれば、回動支持部の上に「支持対象物」としての図面やチェックリストを直接載せて必要事項を書き込むこともできる。
【００１０】
一方、「突出状態」から「収容状態」に移行させる際には、回動支持部を正面開口部から荷室内に収まるように回動させるとともに、封鎖部で正面開口部を封鎖する。「収容状態」では、基部および回動支持部が荷室内に収容されるので、これらが収容部の外側に突出することがなく、運搬時のサイズを小さくすることができる。
【００１１】
前記突出状態にある前記回動支持部に載置される板状部材と、前記板状部材の左右方向中央部に位置する固定部に一端が固定され、前記基部の左側部に他端が固定された第１紐と、前記固定部に一端が固定され、前記基部の右側部に他端が固定された第２紐とを備え、前記板状部材が前記突出状態にある前記回動支持部の正規位置に載置されたとき、前記第１紐および前記第２紐が弛み無く張られるものであってもよい。
【００１２】
この構成では、板状部材が回動支持部の正規位置に載置されたときに、第１紐および第２紐が固定部を中心として略Ｖ状に張られるので、固定部が左右に動くのを防止することができ、板状部材が不所望に移動して回動支持部から落下するのを防止することができる。また、回動支持部に載置された板状部材を、固定部を中心に回動させることができるので、板状部材に図面やチェックリストを載せて必要事項を書き込む際には、板状部材を図面やチェックリストと共に書き易い方向に回動させることができる。
【００１３】
前記収容部の上部に設けられ、使用者の首に掛けられる環状の首ベルトを備えるものであってもよい。
【００１４】
この構成では、首ベルトを首に掛けることによってリュックサックの重量を首に負担させることができるので、背中に背負っていたリュックサックを体の前に回して「逆掛け」の状態にする場合でも、その動作を、リュックサックを降ろすことなく、簡単かつ迅速に行うことができる。
【発明の効果】
【００１５】
本発明のリュックサックによれば、回動支持部を正面開口部から荷室の外部に突出するように回動させるだけで、回動支持部を作業台として用いることができるので、作業台を構成するための特別な組立て作業は不要であり、「逆掛け」の状態で作業台として使用する場合の準備作業を簡単に行うことができる。また、回動支持部は正面開口部から荷室の外部に突出しているので、仮に、収容部の上端開口部に蓋が取り付けられていたとしても、当該蓋が回動支持部の上面に被さることはなく、「逆掛け」の状態で作業台として使用する場合の使用感を高めることができる。
【図面の簡単な説明】
【００１６】
【図１】図１は第１実施形態に係るリュックサックの使用状態（逆掛け）を示す左側面図である。
【図２】図２は第１実施形態に係るリュックサックの構成を示す正面図である。
【図３】図３は第１実施形態に係るリュックサックの構成を示す背面図である。
【図４】図４は第１実施形態に係るリュックサックの構成を示す左側面図である。
【図５】図５は回動支持部を固定する固定部の構成を示す断面図である。
【図６】図６は作業台ユニットの構成（突出状態）を示す図であり、（Ａ）は右側面図、（Ｂ）は正面図である。
【図７】図７は台部の構成を示す正面図である。
【図８】図８は台部におけるストッパ部およびその周辺部を示す拡大斜視図である。
【図９】図９はクリップ付ボードを示す正面図である。
【図１０】図１０は作業台ユニットの構成（収容状態）を示す右側面図である。
【図１１】図１１は他の作業台ユニットの構成（収容状態）を示す図であり、（Ａ）は右側面図、（Ｂ）は正面図である。
【発明を実施するための形態】
【００１７】
以下、本発明の実施形態に係るリュックサックを、図面を参照しながら詳細に説明する。
【００１８】
（第１実施形態）
［リュックサックの全体構成］
図１に示すように、第１実施形態に係るリュックサック１０は、建設会社のスタッフ等のような「使用者」としての作業者Ｍが、背中に背負って荷物を運ぶこと（図示省略）が可能であり、かつ、体の前に「逆掛け」状態で装着して作業台として使用することが可能なものであり、図２、図３および図４に示すように、荷物を収容する第１荷室Ｓ１および第２荷室Ｓ２を有する収容部１２と、左右一対の肩ベルト１４ａ，１４ｂと、収容部１２の正面に設けられた正面開口部１６と、正面開口部１６を開閉可能に封鎖する封鎖部１８と、第２荷室Ｓ２に配置された作業台ユニット２０と、首ベルト２２と、左右一対の腰ベルトフック２４ａ，２４ｂとを備えている。なお、以下の全体構成の説明では、リュックサック１０を背中に背負った通常の使用状態（図示省略）において、作業者Ｍの左手側を「左」、右手側を「右」、背中に接する面を「背面」、「背面」の反対側に位置する面を「正面」、作業者Ｍから見て前方を「前」、作業者Ｍから見て後方を「後」という。
【００１９】
収容部１２は、図２〜図４に示すように、ナイロン布または帆布等のような或る程度の強度と柔軟性とを有する布材によって縫製されたものであり、大容量の第１荷室Ｓ１を構成する袋状の本体部３０と、小容量の第２荷室Ｓ２を構成する袋状の正面収容部３２とを有している。
【００２０】
本体部３０は、作業者Ｍが背負ったときに、背中に当たる略長方形の背面布３０ａ（図３、図４）と、背面布３０ａに対向する略長方形の正面布３０ｂ（図２、図４）と、荷物（図示省略）を受ける底面布３０ｃ（図２、図４）と、第１荷室Ｓ１の左右の側壁を構成する左側面布３０ｄおよび右側面布３０ｅ（図２、図３）と、第１荷室Ｓ１の上壁を構成する上面布３０ｆ（図２、図４）とを有しており、図４に示すように、左側面布３０ｄ、右側面布３０ｅおよび上面布３０ｆには、第１荷室Ｓ１を前後方向に開くための切込み３４が形成されており、切込み３４には、ファスナー３６が取り付けられている。したがって、ファスナー３６を開操作することによって、第１荷室Ｓ１を前後方向に開くための開口部（図示省略）を構成することができ、また、ファスナー３６を閉操作することによって、当該開口部を閉じることができる。
【００２１】
正面収容部３２は、本体部３０の正面布３０ｂに一体的に取り付けられた小型の収容部であり、正面布３０ｂに対向する略長方形の正面布３２ｂ（図２、図４）と、荷物を受ける底面布３２ｃ（図２、図４）と、第２荷室Ｓ２の左右の側壁を構成する左側面布３２ｄおよび右側面布３２ｅ（図２、図４）と、第２荷室Ｓ２の上壁を構成する上面布３２ｆ（図２、図４）とを有しており、図４に示すように、左側面布３２ｄ、右側面布３２ｅおよび上面布３２ｆには、第２荷室Ｓ２を前後方向に開くための切込み３８が形成されており、切込み３８には、ファスナー４０が取り付けられている。したがって、図１に示すように、ファスナー４０を開操作することによって、第２荷室Ｓ２を前後方向に開くための開口部４２を構成することができ、また、ファスナー４０を閉操作することによって、開口部４２を閉じることができる。
【００２２】
なお、各部位を構成する布３０ａ〜３０ｆおよび３２ｂ〜３２ｆは、互いに独立している必要はなく、任意に選んだ少なくとも２枚の布が連続する１枚の基布で構成されていてもよい。
【００２３】
左側の肩ベルト１４ａは、図３に示すように、収容部１２の背面側に位置するように収容部１２と一体的に設けられたものであり、作業者Ｍの左肩に掛けられる帯状の上部片４４と、上部片４４よりも狭い幅で形成された帯状の下部片４６と、接続部材４８とを有している。そして、上部片４４の一方端部が収容部１２の上端部に接続されており、下部片４６の一方端部が収容部１２の下端部に接続されており、上部片４４の他方端部と下部片４６の他方端部とが、接続部材４８を介して長さ調整自在に接続されている。さらに、上部片４４の表面には、首ベルト２２を固定する固定部５０を構成する面ファスナーの一片５０ａが取り付けられている。
【００２４】
右側の肩ベルト１４ｂは、図３に示すように、左側の肩ベルト１４ａと対象に構成されている。したがって、左側の肩ベルト１４ａの構成部分に対応する箇所には、当該部分と同じ参照番号を付し、重複する説明は省略する。
【００２５】
正面開口部１６は、図１に示すように、収容部１２の正面に開かれる開口部であり、上述の開口部４２の一態様である。つまり、上述の開口部４２は、ファスナー４０（図４）を開操作することによって得られる開口部の全てを含んでおり、たとえば、「左側面」、「右側面」または「上面」に開かれたものも開口部４２である。これに対し、正面開口部１６は、開口部４２のうち、「正面」に開かれたものだけを意味しており、正面開口部１６が開かれたときには、第２荷室Ｓ２に収容された作業台ユニット２０の回動支持部８２がリュックサック１０の「正面」に露出するようになっている。
【００２６】
封鎖部１８は、正面開口部１６を開閉可能に封鎖するものであり、図４に示すように、本実施形態では、正面収容部３２の正面布３２ｂのうち、ファスナー４０によって開かれる部分が封鎖部１８となっている。したがって、図１に示すように、ファスナー４０を開操作した後、封鎖部１８を前方に倒すことによって、正面開口部１６を開くことができ、また、封鎖部１８を戻した後、ファスナー４０を閉操作することによって、正面開口部１６を封鎖することができる。そして、図５に示すように、封鎖部１８の内面には、作業台ユニット２０の回動支持部８２を固定するための固定部５２が取り付けられている。固定部５２は、面ファスナーの一片５２ａおよび他片５２ｂを有しており、一片５２ａおよび他片５２ｂが互いに接続されたときに、回動支持部８２を封鎖部１８側に押えて固定できるようになっている。
【００２７】
作業台ユニット２０は、図面、チェックリストおよび資料等のような支持対象物Ｑ（図６（Ｂ））を支持する作業台として機能するものであり、リュックサック１０の中で最も特徴的な部分である。そこで、作業台ユニット２０については、別途詳細に説明する。
【００２８】
首ベルト２２は、図１に示すように、リュックサック１０の重量を作業者Ｍの首Ｎで負担させるために、首Ｎに掛けられる環状部材であり、図３に示すように、第１ベルト片６０と、第２ベルト片６２と、これらを環状に接続する接続部材６４とを有している。接続部材６４は、互いに着脱自在に接続される第１接続片６４ａおよび第２接続片６４ｂを有しており、第１接続片６４ａが第１ベルト片６０の一方端部に取り付けられており、第２接続片６４ｂが第２ベルト片６２の一方端部に取り付けられている。そして、第１ベルト片６０の他方端部が肩ベルト１４ａの上側の基端部と同じ位置において収容部１２の上端部に接続されており、第２ベルト片６２の他方端部が肩ベルト１４ｂの上側の基端部と同じ位置において収容部１２の上端部に接続されている。また、第１ベルト片６０および第２ベルト片６２のそれぞれには、固定部５０を構成する面ファスナーの他片５０ｂが取り付けられており、接続部材６４による第１ベルト片６０および第２ベルト片６２の接続状態が解除されたときには、面ファスナーの一片５０ａと他片５０ｂとが接続される。
【００２９】
左側の腰ベルトフック２４ａは、図３に示すように、帯状の連結部材７０と、連結部材７０の一方端部に取り付けられたフック部７２とを有しており、連結部材７０の他方端部が肩ベルト１４ａの下側の基端部と同じ位置において収容部１２の下端部に接続されている。右側の腰ベルトフック２４ｂは、左側の腰ベルトフック２４ａと対象に構成されているので、左側の腰ベルトフック２４ａの構成部分と対応する箇所には、当該部分と同じ参照番号を付し、重複する説明は省略する。
【００３０】
［作業台ユニットの構成］
図６（Ａ），（Ｂ）に示すように、作業台ユニット２０は、第２荷室Ｓ２内に着脱自在に装着されたものであり、第２荷室Ｓ２に固定的に配置された基部８０と、回動支持部８２と、「板状部材」としてのクリップ付ボード８４と、第１紐８６と、第２紐８８とを有している。そして、図７に示すように、基部８０に対して回動支持部８２が回動自在に取り付けられることによって台部９０が構成されている。なお、作業台ユニット２０は、図１に示すように、リュックサック１０を作業者Ｍの体の前に装着した「逆掛け」の状態で使用されるため、以下の作業台ユニット２０の説明では、「逆掛け」の状態において作業者Ｍの左手側を「左」、右手側を「右」、作業者Ｍから見て前方を「前」、作業者Ｍから見て後方を「後」という。つまり、作業台ユニット２０の構成の説明では、上述のリュックサック１０の全体構成の説明とは位置関係が逆になる点に留意されたい。
【００３１】
基部８０は、図７に示すように、金属等からなる棒状部材を曲げ加工すること等によって構成された枠状部材であり、互いに対向して平行に形成された棒状の第１部分９４および第２部分９６と、第１部分９４および第２部分９６のそれぞれに直交して、これらの一方端部どうしを連結する棒状の連結部９８とを有しており、第１部分９４および第２部分９６の他方端部には、図８に示すように、連結部９８に対して平行方向に延びる貫通孔１００が形成されている。図１および図２に示すように、基部８０は、第２荷室Ｓ２における正面開口部１６よりも下方の領域Ｔ１に配置されるものである。そこで、本実施形態では、基部８０の左右方向長さが領域Ｔ１の左右方向長さよりもやや短く設計されており、基部８０の上下方向長さが領域Ｔ１の上下方向長さとほぼ同じに設計されている。
【００３２】
回動支持部８２は、第２荷室Ｓ２に収容された「収容状態（図４）」と正面開口部１６から第２荷室Ｓ２の外部に突出された「突出状態（図１）」とを切替可能に構成されたものであり、図７に示すように、金属等からなる棒状部材を曲げ加工すること等によって構成された枠状部材である。回動支持部８２は、互いに対向して平行に形成された棒状の第１部分１１０および第２部分１１２と、第１部分１１０および第２部分１１２のそれぞれに直交して、これらの一方端部どうしを連結する棒状の第１連結部１１４と、第１部分１１０および第２部分１１２の他方端部どうしを連結する略円弧状の第２連結部１１６とを有しており、第１部分１１０の一方端部には、左側の回動部１１８ａが形成されており、第２部分１１２の一方端部には、右側の回動部１１８ｂが形成されている。
【００３３】
図８に示すように、右側の回動部１１８ｂは、基部８０における第２部分９６の内側に配置された軸支持部１２０と、軸支持部１２０に設けられ、第２部分９６の貫通孔１００に回動自在に嵌合された突起状の回動軸１２２と、軸支持部１２０の端部から回動軸１２２と同じ方向に延びて形成されたストッパ部１２４とを有している。ストッパ部１２４は、基部８０に対する回動支持部８２の回動角度を所定角度（本実施形態では６５度）に規制するものであり、ストッパ部１２４と回動軸１２２との位置関係は、基部８０に対して回動支持部８２が所定角度（本実施形態では６５度）だけ回動されたときに、ストッパ部１２４が第２部分９６に当接するように設計されている。一方、左側の回動部１１８ａは、右側の回動部１１８ｂと対象に構成されている。
【００３４】
回動支持部８２は、図２に示すように、第２荷室Ｓ２における正面開口部１６に対向する領域Ｔ２に配置されるものである。そこで、本実施形態では、回動支持部８２の左右方向長さが領域Ｔ２の左右方向長さよりもやや短く設計されており、回動支持部８２の上下方向長さが領域Ｔ２の上下方向長さよりもやや短く設計されている。
【００３５】
クリップ付ボード８４は、図９に示すように、支持対象物Ｑを支持する略長方形の板状のボード本体１３０と、ボード本体１３０の長さ方向一方端部に取り付けられ、支持対象物Ｑを挾持するクリップ１３２と、ボード本体１３０の長さ方向他方端部の左右方向（すなわち幅方向）中央部に取り付けられた固定部１３４とを有している。固定部１３４は、環状の固定部本体１３４ａと、固定部本体１３４ａをボード本体１３０に回動自在に取り付ける取付部１３４ｂとを有しており、本実施形態では、「突出状態」にある回動支持部８２の正規位置にクリップ付ボード８４が載置されたときに、固定部１３４の位置が第１紐８６および第２紐８８によって固定されるようになっている。回動支持部８２が「収容状態」にあるときには、クリップ付ボード８４は、第２荷室Ｓ２内に収容されており、固定部１３４は、ボード本体１３０の下端部に位置している。なお、ボード本体１３０のサイズは、特に限定されるものではないが、本実施形態では、使用時の利便性を考慮して、第２荷室Ｓ２に収容可能な範囲内でできるだけ大きく設計されている。
【００３６】
第１紐８６は、図６（Ｂ）に示すように、「突出状態」にある回動支持部８２の正規位置において、クリップ付ボード８４の動きを規制するものであり、第１紐８６の一端がクリップ付ボード８４の左右方向中央部に位置する固定部１３４に固定されており、第１紐８６の他端が基部８０における「左側部（すなわち左側に位置する側部）」としての第１部分９４に固定されている。第２紐８８は、「突出状態」にある回動支持部８２の正規位置において、クリップ付ボード８４の動きを規制するものであり、第２紐８８の一端がクリップ付ボード８４の左右方向中央部に位置する固定部１３４に固定されており、第２紐８８の他端が基部８０における「右側部（すなわち右側に位置する側部）」としての第２部分９６に固定されている。また、本実施形態では、第１紐８６および第２紐８８のそれぞれの長さがほぼ同じに設計されている。したがって、図６（Ｂ）に示すように、クリップ付ボード８４を最大に引き出した状態では、第１紐８６および第２紐８８が固定部１３４を中心として略Ｖ状に張られることになり、固定部１３４が左右に動くのを防止することができるとともに、クリップ付ボード８４がそれ以上に引き出されるのを防止することができ、クリップ付ボード８４を回動支持部８２の正規位置に固定することができる。また、回動支持部８２で支持されたクリップ付ボード８４を、固定部１３４を中心として適宜回動させることができる。
【００３７】
本実施形態によれば、第２荷室Ｓ２に配置された基部８０で回動支持部８２を支持しているので、リュックサックの骨格を成す強固なフレーム（特許文献１参照）を用いることなく、リュックサック１０を作業者Ｍの体に沿うように柔軟に構成することができる。
【００３８】
なお、本実施形態では、第１荷室Ｓ１を構成する本体部３０とは別に、第２荷室Ｓ２を構成する正面収容部３２を設け、第２荷室Ｓ２内に作業台ユニット２０を収容しているが、第２荷室Ｓ２を省略し、第１荷室Ｓ１内に作業台ユニット２０を収容してもよい。この場合には、本体部３０の正面に正面開口部１６が構成されるとともに、正面開口部１６が封鎖部１８によって開閉可能に封鎖される。
【００３９】
［リュックサックの使用方法］
図示していないが、リュックサック１０を通常使用する際には、作業者Ｍは、肩ベルト１４ａ，１４ｂを両肩に掛けてリュックサック１０を背負うとともに、腰ベルトフック２４ａ，２４ｂのフック部７２を、必要に応じて腰に巻いたベルト１４０（図１）に引っ掛ける。
【００４０】
リュックサック１０を通常使用している状態から「逆掛け」の状態に移行する際には、作業者Ｍは、まず、第１ベルト片６０と第２ベルト片６２とを首Ｎの前で接続して環状の首ベルト２２を構成し、腰ベルトフック２４ａ，２４ｂをベルト１４０から取り外す。続いて、片方の肩ベルト（たとえば肩ベルト１４ａ）から片方の腕（たとえば左肩）を抜いて、当該片方の手で反対の肩に位置する他方の肩ベルト（たとえば肩ベルト１４ｂ）を掴み、その手でリュックサック１０を首Ｎを中心として背中から体の前に回してくる。その後、腰ベルトフック２４ａ，２４ｂをベルト１４０に引っ掛けるとともに、両肩に肩ベルト１４ａ，１４ｂを「逆掛け」にする。この場合、肩ベルト１４ａ，１４ｂまたは腰ベルトフック２４ａ，２４ｂの一方だけを使用してもよい。
【００４１】
リュックサック１０に作業台としての機能を発揮させる場合には、図１に示すように、第２荷室Ｓ２内に収容された作業台ユニット２０の回動支持部８２を「収容状態（図４）」から「突出状態（図１、図６）」に移行させる。すなわち、まず、（ａ）ファスナー４０を開操作して開口部４２（正面開口部１６）を開く。続いて、（ｂ）開口部４２（正面開口部１６）から第２荷室Ｓ２内に手を入れて、第２荷室Ｓ２内に位置するクリップ付ボード８４の上端部を掴む。そして、（ｃ）第１紐８６および第２紐８８が張るまでクリップ付ボード８４を引き上げ、その後、（ｄ）クリップ付ボード８４を前方に倒す。すると、回動支持部８２と封鎖部１８とが、クリップ付ボード８４によって前方に押され、回動支持部８２が正面開口部１６から第２荷室Ｓ２の外部に突出するように回動されて「突出状態」となる。この「突出状態」では、回動支持部８２が支持対象物Ｑを支持する作業台として機能するので、クリップ付ボード８４の上に図面やチェックリストを載せて、クリップ１３２で固定して必要事項を書き込むことができる。また、固定部１３４を中心として、クリップ付ボード８４を図面やチェックリストと共に書き易い方向に回動させることができる。
【００４２】
一方、回動支持部８２を「突出状態」から「収容状態」に移行させる際には、回動支持部８２をクリップ付ボード８４と共に正面開口部１６から第２荷室Ｓ２内に収まるように回動させ、その後、封鎖部１８で正面開口部１６を封鎖する。この「収容状態」では、図１０に示すように、基部８０および回動支持部８２がクリップ付ボード８４と平行に並んで第２荷室Ｓ２内に収容されるので、作業台ユニット２０が第２荷室Ｓ２の外側に突出することがなく、運搬時のサイズを小さくすることができる。
【００４３】
（第２実施形態）
第２実施形態に係るリュックサックは、第１実施形態に係るリュックサック１０の作業台ユニット２０を、図１１に示す作業台ユニット１５０に変更したものである。
【００４４】
作業台ユニット１５０は、板状の基部１５２に対して板状の回動支持部１５４を、蝶番１５６を介して回動自在に取り付けたものであり、回動支持部１５４には、基部１５２に当接することによって回動角度を規制する突起状のストッパ部１５８が形成されている。なお、ストッパ部１５８は、必ずしも回動支持部１５４に形成されている必要はなく、基部１５２に形成されていてもよいし、回動支持部１５４および基部１５２の両方に形成されていてもよい。
【産業上の利用可能性】
【００４５】
本発明に係るリュックサックは、建設会社等のスタッフが工事進捗状況の調査や、技術的調査を行う場合に使用することができる。また、リュックサックを背負いつつ、クリップ付ボードやノートを使用するケースとして、各種自然研究（サークル）、各種学術調査、学校の課外授業等を野外で実施する場合に利用できる。その他、首ベルトを使用することによって、リュックサックを降ろすことなく体の前で収容物の出し入れができるため、通常の一般使用においても利便性が高い。
【符号の説明】
【００４６】
Ｍ…  作業者
Ｎ…  首
Ｑ…  支持対象物
Ｓ１…  第１荷室
Ｓ２…  第２荷室
１０…  リュックサック
１２…  収容部
１４ａ，１４ｂ…  肩ベルト
１６…  正面開口部
１８…  封鎖部
２０…  作業台ユニット
２２…  首ベルト
２４ａ，２４ｂ…  腰ベルトフック
３２…  正面収容部
３６，４０…  ファスナー
７２…  フック部
８０…  基部
８２…  回動支持部
８４…  クリップ付ボード
８６…  第１紐
８８…  第２紐
９０…  台部
９４…  第１部分（左側部）
９６…  第２部分（右側部）
１３４…  固定部
１４０…  ベルト
１５０…  作業台ユニット
【図１】
2011036401.tif 000003
【図２】
2011036401.tif 000004
【図３】
2011036401.tif 000005
【図４】
2011036401.tif 000006
【図５】
2011036401.tif 000007
【図６】
2011036401.tif 000008
【図７】
2011036401.tif 000009
【図８】
2011036401.tif 000010
【図９】
2011036401.tif 000011
【図１０】
2011036401.tif 000012
【図１１】
2011036401.tif 000013